(57)【要約】  【課題】  冷凍サイクルを使用して除湿能力が大きい除湿空調を可能とすると共に、信頼性が向上した空気調和機を得る。  【解決手段】  給気側通風路２において水分吸着材１により吸着除湿し、排気側通風路３において水分吸着材１を加熱再生する空気調和機において、給気側通風路２において水分吸着材１より室外側に配置された給気側熱交換器９と、排気側通風路３において水分吸着材１より室内側に配置された排気側熱交換器１０と、給気側熱交換器９及び排気側熱交換器１０に接続された冷凍サイクルと、を備え、外気を給気側熱交換器９により冷却した後に水分吸着材１を通過して室内に導き、室内空気を排気側熱交換器１０により加熱した後に水分吸着材１を通過させて排出する。【選択図】  図１
2005195285.tif 000002
【特許請求の範囲】
【請求項１】
外気を室内に導入する給気側通風路と、室内空気を排出する排気側通風路と、水分吸着材と、を有し、前記給気側通風路において前記水分吸着材により吸着除湿し、前記排気側通風路において前記水分吸着材を加熱再生する空気調和機において、
前記給気側通風路において前記水分吸着材より室外側に配置された給気側熱交換器と、
前記排気側通風路において前記水分吸着材より室内側に配置された排気側熱交換器と、
前記給気側熱交換器及び前記排気側熱交換器に接続された冷凍サイクルと、
を備え、
外気を前記給気側熱交換器により冷却した後に前記水分吸着材を通過して室内に導き、室内空気を前記排気側熱交換器により加熱した後に前記水分吸着材を通過させて排出することを特徴とする空気調和機。
【請求項２】
請求項１に記載のものにおいて、前記給気側通風路において前記水分吸着材より室内側に配置された第２の給気側熱交換器を備えたことを特徴とする空気調和機。
【請求項３】
請求項１に記載のものにおいて、前記給気側熱交換器及び前記排気側熱交換器の冷却あるいは加熱能力の制御を行うことを特徴とする空気調和機。
【請求項４】
請求項１に記載のものにおいて、前記水分吸着材を静止型水分吸着材としたことを特徴とする空気調和機。
【請求項５】
請求項１に記載のものにおいて、外気又は室内空気の少なくとも一方の温湿度状態に応じて前記給気側熱交換器及び前記排気側熱交換器の運転モード（冷却、加熱、停止）を切り替えることを特徴とした空気調和機。
【発明の詳細な説明】
【技術分野】
【０００１】
本発明は空気調和機に関し、特に冷凍サイクルと水分吸着材を併用して温度および湿度を調整するものに好適である。
【背景技術】
【０００２】
空気調和に利用される除湿空調方式として冷凍サイクルによる冷却除湿方式や再熱除湿方式、水分吸着材を使用したデシカント空調方式等が知られている。しかし、冷凍サイクルによる除湿方式は冷媒の蒸発温度以下の露点に下げることができず、蒸発温度を下げることは圧縮機の仕事が増し、エネルギー消費の増加となる。また、デシカント方式による除湿では吸着材の再生に高温空気を必要とするため、コジェネレーションの熱を利用した加熱や、ガス焚き加熱器等による加熱が行われているが、コジェネレーションの場合電力需要と熱需要が一致しない時間帯も生じるため補助熱源としてガス焚き加熱器等を必要とする場合がある。
【０００３】
そこで、冷凍サイクルで生じる凝縮器排熱を利用するデシカント空調方式と冷凍サイクル方式を組み合わせることが知られ、例えば特許文献１に記載されている。
【０００４】
【特許文献１】特開２００３−１３０３９１号公報
【発明の開示】
【発明が解決しようとする課題】
【０００５】
上記従来装置は、室内からの排気を再生空気として使用し、冷凍サイクルの凝縮器排熱で加熱を行いことにより、ガス焚き加熱器等を使用する装置と比較してエネルギー効率を改善することができるが、水分吸着材の再生温度は低温再生用とされているものでも概ね６０〜８０℃を必要とする。そのため、冷媒凝縮温度は概ね６５〜９０℃となる。一方、室内空気の冷却や処理空気を略室内空気温度まで冷却するためには冷媒蒸発温度は１０〜２０℃程度とする必要があるため、冷凍サイクルは高圧縮比運転となり、信頼性が低下する。また、室内の冷房機器としてみると、通常の外気で冷却する冷凍サイクル方式の空調システムよりも冷媒凝縮温度が高いためＣＯＰの劣る運転条件となる。
【０００６】
本発明の目的は、冷凍サイクルを使用して除湿能力が大きい除湿空調を可能とすると共に、信頼性が向上した空気調和機を得ることにある。また、他の目的は、負荷に応じた冷却、除湿、加温、加湿等多様な運転を行い、省電力を図ることにある。
【課題を解決するための手段】
【０００７】
上記目的を達成するため本発明は、外気を室内に導入する給気側通風路と、室内空気を排出する排気側通風路と、水分吸着材と、を有し、前記給気側通風路において前記水分吸着材により吸着除湿し、前記排気側通風路において前記水分吸着材を加熱再生する空気調和機において、前記給気側通風路において前記水分吸着材より室外側に配置された給気側熱交換器と、前記排気側通風路において前記水分吸着材より室内側に配置された排気側熱交換器と、前記給気側熱交換器及び前記排気側熱交換器に接続された冷凍サイクルと、を備え、外気を前記給気側熱交換器により冷却した後に前記水分吸着材を通過して室内に導き、室内空気を前記排気側熱交換器により加熱した後に前記水分吸着材を通過させて排出するものである。
【０００８】
これにより、処理空気を給気側熱交換器により冷凍サイクルで冷却除湿し、吸着しやすい低温かつ相対湿度が高い状態とし、水分吸着材で除湿するとともに吸着熱で加熱し、略室内空気温度で低湿な空気を供給することができるので、再生空気も低温かつ高い相対湿度の空気を用いても必要とする吸着能力の再生が可能となる。
【０００９】
また、上記のものにおいて、前記給気側通風路において前記水分吸着材より室内側に配置された第２の給気側熱交換器を備えたことが望ましい。  
さらに、上記のものにおいて、前記給気側熱交換器及び前記排気側熱交換器の冷却あるいは加熱能力の制御を行うことが望ましい。  
さらに、上記のものにおいて、前記水分吸着材を静止型水分吸着材としたことが望ましい。  
さらに、上記のものにおいて、外気又は室内空気の少なくとも一方の温湿度状態に応じて前記給気側熱交換器及び前記排気側熱交換器の運転モード（冷却、加熱、停止）を切り替えることが望ましい。
【発明の効果】
【００１０】
本発明によれば、処理空気を冷凍サイクルの蒸発器により冷却除湿した後に水分吸着材でさらに除湿する一方、再生空気は凝縮器により加熱した後、水分吸着材を再生するようにしたので、冷凍サイクルの信頼性を損なうことなく、除湿能力を大きくすることができる。
【発明を実施するための最良の形態】
【００１１】
処理空気を給気側熱交換器により冷凍サイクルで冷却除湿し、吸着しやすい低温かつ相対湿度が高い状態とし、水分吸着材で除湿するとともに吸着熱で加熱し、略室内空気温度で低湿な空気を供給する。これにより、水分吸着材で処理する空気が低温かつ相対湿度が高いため、再生空気もより低温かつ高い相対湿度の空気を用いても必要とする吸着能力の再生が可能となり、デシカント空調機と同等な除湿能力を持ち、動力および加熱冷却の全てを電力で行うので保安点検の手間を省くことができる。  
さらに、給気側熱交換器と排気側熱交換器の冷却と加熱が任意に行える冷凍サイクルを使用することにより、熱回収を行って省電力を図るとともに、負荷に応じた冷却、除湿、加温、加湿等多様な運転を行うことが可能となる。
【実施例１】
【００１２】
図１において、水分吸着材で構成され複数の空気流路と回転機構をもつ水分吸着材１、給気側通風路２、排気側通風路３、給気側送風機４、排気側送風機５と、圧縮機６、四方弁７ａ、７ｂ、室外側熱交換器８ａ、８ｂ、給気側通風路２に設置された給気側熱交換器９、排気側通風路３に設置された排気側熱交換器１０、膨張弁１１ａ、１１ｂ、１１ｃ、１１ｄ、逆止弁１２、開閉弁１３ａ、１３ｂ、１３ｃ、１３ｄ、レシーバ１７、アキュームレータ１８を備え、それぞれ配管接続して冷凍サイクルが構成される。  
空気流路は、給気側通風路２と排気側通風路３に区分され、水分吸着材１の流路の一方は給気側通風路２、一方は排気側通風路３に設置されている。給気側通風路２は給気側送風機４、給気側熱交換器９、水分吸着材１を有し、排気側通風路３は排気側熱交換器１０、水分吸着材１、排気側送風機５で構成される。
【００１３】
圧縮機６の吐出側配管は分岐されて四方弁７ａ、７ｂに接続される。四方弁７ａは熱交換器８ａ、膨張弁１１ａの順に、さらに、逆止弁１２、高圧ガス管１４、及び低圧ガス管１５へ接続されている。四方弁７ｂは熱交換器８ｂ、膨張弁１１ｂに接続され、膨張弁１１ｂは、四方弁７ａから膨張弁１１ａへ接続された配管と合流した後レシーバ１７に接続されている。また、四方弁７ｂは高圧ガス管１４及び低圧ガス管１５へ接続され、高圧ガス管１４は分岐された後、開閉弁１３ａ、１３ｃへ接続されている。さらに、四方弁７ｂはアキュームレータ１８を通り圧縮機６の吸入側に接続され、さらに分岐して開閉弁１３ｂ、１３ｄへ接続されている。開閉弁１３ａおよび開閉弁１３ｂは合流した後、給気側熱交換器９、膨張弁１１ｃ、液管１６の順に接続されている。開閉弁１３ｃと開閉弁１３ｄは合流した後、排気側熱交換器１０、膨張弁１１ｄ、液管１６の順に接続されている。給気側の膨張弁１１ｃと排気側の膨張弁１１ｄは合流して液管１６、レシーバ１７の順に接続されている。
【００１４】
処理空気の冷却除湿を行う場合、冷凍サイクル上で給気側熱交換器９は蒸発器、排気側熱交換器１０は凝縮器として作用する。冷却除湿運転における処理空気および再生空気の状態変化を図２の空気線図で説明する。処理空気は給気側熱交換器９で冷却されて温度が下がるとともに水分の一部が凝縮して排出されることにより絶対湿度が下がり、概ね１０〜２０℃相対湿度８５〜１００％近くの低温高湿な水分が吸着されやすい状態となった後、水分吸着材１の給気側を通過しながら、さらに水分が吸着除湿されるとともに吸着熱により空気温度が上がり、略室内温度の絶対湿度の低い空気となって給気される。再生空気は排気側熱交換器１０で加熱されて温度が上がるとともに相対湿度が低い空気となり、水分吸着材１の排気側を通過しつつ吸着された水分を脱着して排気される。
【００１５】
処理空気の制御は、膨張弁１１ｃの開度を制御して給気側熱交換器９の出口の温湿度を調節すること、膨張弁１１ｄの開度を制御して排気側熱交換器１０を制御して水分吸着材１の再生温度を変化させること、水分吸着材１の回転速度を調整することを個別もしくは組み合わせて行い、処理空気の温度や水分吸着材１の吸着能力を調整することにより行う。
【００１６】
つぎに冷却除湿運転の場合の冷凍サイクル動作を説明する。  
給気側熱交換器９の冷却負荷と冷凍サイクルの冷却能力および排気側熱交換器１０の加熱負荷と冷凍サイクルの加熱能力がつりあう場合、圧縮機６から出た冷媒は四方弁７ｂ、開閉弁１３ｃを通り、排気側熱交換器１０で凝縮液化した後、全開された排気側膨張弁１１ｄを通り、給気側膨張弁１１ｃで減圧され、給気側熱交換器９で蒸発した後、開閉弁１３ｂ、アキュームレータ１８を通り圧縮機６へ戻る。  
冷凍サイクルの加熱能力が過剰の場合は、圧縮機６から出た冷媒は四方弁７ａ、７ｂへ流れ、四方弁７ｂへ流れた高温高圧のガスは高圧ガス管１４から開閉弁１３ｃを通り、排気側熱交換器１０で冷却されて液化しつつ再生空気を加温し、液化された冷媒は全開した排気側膨張弁１１ｄを通過し液管１６へ合流する。一方、四方弁７ａへ流れた冷媒ガスは室外側熱交換器８ａへ流されて外気等と熱交換して冷却液化され、全開された膨張弁１１ａとレシーバ１７を通り、液管１６で排気側熱交換器１０からきた冷媒と合流した後、給気側膨張弁１１ｃで減圧され、給気側熱交換器９で蒸発して低圧ガスとなり、開閉弁１３ｂ、低圧ガス管１５、アキュームレータ１８を通って圧縮機６に戻る。
【００１７】
冷凍サイクルの冷却能力が過剰の場合は、圧縮機６から四方弁７ｂへ流れた高温高圧のガスは高圧ガス管１４、開閉弁１３ｃを通り、排気側熱交換器１０で液化し、全開した排気側膨張弁１１ｄを通過し液管１６へ流れる。液管１６の冷媒の一部は給気側膨張弁１１ｃで減圧された後、給気側熱交換器９で蒸発して低圧ガスとなり、開閉弁１３ｂ、低圧ガス管１５へ流れる。液管１６の他の液冷媒はレシーバ１７を通り、膨張弁１１ａで減圧されて熱交換器８ａで外気等と熱交換して蒸発気化した後、四方弁７ａを通り、低圧ガス管１５で合流してアキュームレータ１８から圧縮機６へ戻る。
【００１８】
処理空気を加温加湿する運転の場合、再生空気は除湿しないように露点温度以上に制御された排気側熱交換器１０で冷却されて相対湿度を高めた後、水分吸着材１の排気側を通過しつつ水分を吸着されて排気される。処理空気は給気側熱交換器９で加温されて相対湿度を下げた後、水分吸着材１の給気側を通過する際に水分を脱着して絶対湿度を上げるとともに温度を下げた後、室内へ給気される。処理空気を加温加湿する場合の冷凍サイクルは、給気側熱交換器９が凝縮器、排気側熱交換器１０が蒸発器として作用する。他は冷却除湿運転の場合と同様に運転することにより処理空気を加熱、再生空気を冷却することができる。
【００１９】
処理空気を冷却する運転の場合は、給気側熱交換器９が蒸発器となる。圧縮機６から夫々四方弁７ａ、７ｂへ流れた高温高圧のガスは夫々熱交換器８ａ、８ｂで外気等と熱交換して液化し、全開された減圧弁１１ａ、１１ｂを通ったのちに合流し、レシーバ１７から液管１６を通り給気側膨張弁１１ｃで減圧され給気側熱交換器９で蒸発し、開閉弁１３ｂ、低圧ガス管１５、アキュームレータ１８を通り圧縮機６へ戻る。冷却負荷が少ない場合は、圧縮機６の回転数を下げるとともに、熱交換器８ａ、８ｂのいずれか一方を停止するなど冷媒循環量を調整することにより、さらに省エネルギーを図ることも可能である。また、処理空気を加熱する運転の場合は、給気側熱交換器９を凝縮器とし、熱交換器８ａ、８ｂは蒸発器として運転する。
【００２０】
以上により、給気側熱交換器９の運転状態（冷却、加熱）および能力、排気側熱交換器１０の運転状態および能力を個別に制御することが可能であり、多様な取入れ空気条件に対しても給気温湿度の制御が可能となる。
【００２１】
処理空気取入れ口の温湿度と本空気調和機の運転制御モードの一例を図３および表１により説明する。
【００２２】
【表１】
2005195285.tif 000003
【００２３】
ある温度および湿度の範囲に調整した空気を給気する場合、処理空気の温湿度状態に応じて運転モードを切り替える。例えば図３に示すように上限および下限温度、上限および下限相対湿度で制御目標温湿度範囲を定め、取り入れる処理空気の温湿度状態に応じ、運転モードを定める。各運転モードの境界線は、例えば上下の境界は絶対湿度、左右の境界は温度および水分吸着材の性能により決まる吸着および脱着変化の状態線で区分けする。
【００２４】
吸着・脱着変化状態線は等エンタルピー線に近い傾きであることが知られており、等エンタルピー線で区分けすることもできる。また、制御目的領域は例えば上限・下限温度、上限・下限絶対湿度や、ＰＭＶ値等の快適性の指標をもって設定してもよく、これらを組み合わせて設定してもよい。
【００２５】
以下、図３に示した領域Ａ〜Ｉと、表１に示した各領域の主な運転モードをについて説明する。  
領域Ａでは、高温かつ高湿の処理空気を、給気側熱交換器９で冷却除湿され低温かつ相対湿度が高い状態とし、水分吸着材１で除湿するとともに吸着熱で加熱されて設定した温湿度空気となる。再生空気は排気側熱交換器１０で加熱して水分吸着材１の水分を脱着した後排気される。領域Ｂでは、絶対湿度は設定範囲内であるので、処理空気は給気側熱交換器９で冷却される。  
領域Ｃは、設定範囲より高温かつ低絶対湿度の処理空気条件で、冷却と加湿が必要な境域となる。処理空気を給気側熱交換器９で冷却する。一方再生空気を排気側熱交換器１０で露点近傍まで冷却し低温かつ相対湿度が高い状態とし、水分吸着材１に吸着させ、給気側空気で脱着して加湿する。  
領域Ｄは、目的温度近傍もしくは目的温度よりも低温で絶対湿度が高い場合で、再生空気を排気側熱交換器１０で加熱し水分吸着材１を再生する。給気側空気は水分吸着材１を通過して除湿昇温される。  
領域Ｅは、処理空気の状態は目的領域内であり、冷凍サイクルと吸着ローターの運転は停止し、処理空気をそのまま給気する。
【００２６】
領域Ｆは、目的温度近傍もしくは目的温度より高温かつ絶対湿度が低い場合であり、再生空気は相対湿度に応じて排気側熱交換器１０で露点温度以下とならない程度に冷却されて相対湿度を高めた後、水分吸着材１に水分を吸着させる。一方の処理空気は水分吸着材１を通過しつつ加湿冷却される。  
領域Ｇは低温高湿の場合であり、再生空気を排気側熱交換器１０で加熱し、水分吸着材１を加熱して乾燥させる。一方の処理空気は水分吸着材１を通過しつつ除湿昇温される。  
領域Ｈは温度設定より低温で、絶対湿度は目的範囲内の場合であり、処理空気は給気側熱交換器９で加熱される。  
領域Ｉは、温度湿度ともに設定範囲より低い場合で、再生空気は露点以下とならない程度に排気側熱交換器１０で冷却して相対湿度を高くした後、水分吸着材１に水分を吸着される。一方、処理空気は給気側熱交換器９で加熱し、水分吸着材１の水分を脱着して加湿される。  
以上のように処理空気の温湿度状態に応じて運転モードを選択することにより、目標とする温湿度状態に調整した給気が可能となる。
【実施例２】
【００２７】
本発明の第２の実施例を図４により説明する。  
少なくとも、複数の空気流路と回転機構をもつ水分吸着材１、給気側通風路２、排気側通風路３、給気側送風機４、排気側送風機５と、圧縮機６、四方弁７ａ、７ｂ、室外側熱交換器８ａ、８ｂ、給気側通風路２に設置された第一の給気側熱交換器９ａ、第二の給気側熱交換器９ｂ、排気側通風路３に設置された排気側熱交換器１０、膨張弁１１ａ、１１ｂ、１１ｃ、１１ｃ、１１ｄ、１１ｅ、逆止弁１２、開閉弁１３ａ、１３ｂ、１３ｃ、１３ｄ、１３ｅ、１３ｆ、レシーバ１７、アキュームレータ１８およびこれらを接続する配管で冷凍サイクルを構成している。  
給気側通風路２は給気側送風機４、第一の給気側熱交換器９ａ、水分吸着材１、第二の給気側熱交換器９ｂで構成され、排気側通風路３は排気側熱交換器１０、水分吸着材１、排気側送風機５で構成されている。
【００２８】
次に冷凍サイクルは圧縮機６から高圧ガス管１４、低圧ガス管１５、液管１６までは実施例１と同じ構成である。高圧ガス管１４は分岐され開閉弁１３ａ、１３ｃ、１３ｅへ、低圧ガス管１５は分岐され開閉弁１３ｂ、１３ｄ、１３ｆへ接続されていて、開閉弁１３ａおよび開閉弁１３ｂのもう一方は合流したのち第一の給気側熱交換器９ａ、膨張弁１１ｃ、液管１６の順に接続されている。また、開閉弁１３ｃと開閉弁１３ｄのもう一方は合流した後に排気側熱交換器１０、膨張弁１１ｄ、液管１６の順に接続されている。開閉弁１３ｅと開閉弁１３ｆのもう一方は合流した後に第二の給気側熱交換器９ｂ、膨張弁１１ｅ、液管１６の順に接続されている。給気側の膨張弁１１ｃ、１１ｅからの配管および排気側の膨張弁１１ｄからの配管が合流した液管１６はレシーバ１７へ接続されている。
【００２９】
第一の給気側熱交換器９ａ、第二の給気側熱交換器９ｂ、排気側熱交換器１０は、運転状態（冷却、加熱、停止）や、冷却もしくは加熱の能力を個別に制御することが可能である。これにより、第一の給気側熱交換器９ａと水分吸着材１により湿度を制御し、第二の給気側熱交換器９ｂにより温度を制御し、つまり温度と湿度を独立した制御とすることができるため、給気温度を精密に制御することができ、例えば恒温高湿室などにも適した給気が可能である。
【実施例３】
【００３０】
本発明の第３の実施例を説明する。静止型水分吸着材１９を図５に示し、処理空気および再生空気が通る空気通路２０と冷却空気が通る空気流路２１を有し、空気通路２０に波板状に加工した水分吸着材のシートを配置し、第１空気流路と仕切り板と第２空気通路２１とを交互に積層されている。
【００３１】
第１および第２の実施例は水分吸着材１が給気側と排気側に跨って設置されるため給気側通風路２と排気側通風路３が隣接していること、水分吸着材を回転する機構有することを必要とするが、第３の実施例は静止型水分吸着材１９ａ、１９ｂと給気側通風路２、排気側通風路３を任意に配置することが可能で、空気側の稼動部を空気流路の切り替え機構のみで構成することを特長とする。
【００３２】
処理空気を除湿する状態を図６により、静止型水分吸着材１９ａが吸着工程、静止型水分吸着材１９ｂが再生工程の場合を説明する。処理空気は給気側送風機４から取り入れられ、給気側熱交換器９で冷却されて低温かつ相対湿度の高い空気となり、空気流路切り替えダンパ２２ａを通り、静止型水分吸着材１９ａで吸着除湿され、空気流路切り替えダンパ２２ｂを通り給気される。吸着にともない静止型水分吸着材１９ａの温度が上昇し、除湿性能が低下するため冷却空気を冷却側送風機２３から取り込み、空気流路切り替えダンパ２２ｃを通して静止型水分吸着材１９ａの冷却空気流路に通して温度上昇による吸着性能低下を防ぐ。
【００３３】
一方再生空気は排気側送風機５から取り入れられ、排気側熱交換器１０で加熱され、空気流路切り替えダンパ２２ｂを通り、静止型水分吸着材１９ｂを加熱しつつ水分を脱着した後、空気流路切り替えダンパ２２ａを通り排気される。  
静止型水分吸着材１９ａがある一定の吸着量に達した場合、空気流路切り替えダンパ２２ａ、２２ｂおよび２２ｃを切り替えることにより、静止型水分吸着材１９ｂを吸着工程、静止型水分吸着材１９ａを再生工程に切り変えて同様に操作を行い、これを繰り返すことにより連続して処理を行う。
【００３４】
給気側熱交換器９と排気側熱交換器１０の運転状態および冷却・加熱能力を個別に制御することができ、給気側空気流路の空気流路切り替えダンパ２２ｂの下流に第二の給気側熱交換器を設けることにより、給気温湿度のより精密な制御を行うことができる。
【実施例４】
【００３５】
図７は図１に示した冷凍サイクルの給気側熱交換器９、排気側熱交換器１０と並列に室内熱交換器２７を設置した例を示す。給気側熱交換器９、排気側熱交換器１０と同様に室内熱交換器２７も任意の運転が可能である。暖房する場合は、室内空気と取入空気を加温するため、室内熱交換器２７と給気側熱交換器９は加熱運転し、排気側熱交換器１０は冷却運転を行い外気よりも高温な室内排気から熱回収を行うことにより、空調機はより高効率な運転となる。冷房する場合は、給気側熱交換器９と室内熱交換器２７が冷却運転を行う一方、排気側熱交換器１０は外気よりも低温な室内排気により加熱運転を行うことにより効率が向上する。
【００３６】
上記構成の冷凍サイクルによる空調機と、室内熱交換器２７と室外機による冷凍サイクル、あるいは室内熱交換器２７と給気側熱交換器９と室外機からなる冷凍サイクルによる冷暖房機と比較すると排気から熱回収を行うので、より効率の良い運転が可能となる。  
図８は水分吸着材１の一方の流路を給気側通風路２、もう一方を排気側通風路３に配置した例である。
【図面の簡単な説明】
【００３７】
【図１】本発明による一実施例を示す空気調和機のブロック。
【図２】一実施例の空気調和機の作用を示す空気線図。
【図３】一実施例の空気調和機の運転モードを示す空気線図。
【図４】他の実施例を示す空気調和機のブロック図。
【図５】他の実施例に用いられる静止型除湿材の斜視図。
【図６】さらに、他の実施例を示す空気調和機のブロック図。
【図７】さらに、他の実施例を示す空気調和機のブロック図。
【図８】さらに、他の実施例を示す空気調和機のブロック図。
【符号の説明】
【００３８】
１…水分吸着材、２…給気側通風路、３…排気側通風路、４…給気側送風機、５…排気側送風機、６…圧縮機、７ａ、７ｂ…四方弁、８ａ、８ｂ…室外側熱交換器、９、９ａ…給気側熱交換器、９ｂ…第２の給気側熱交換器、１０…排気側熱交換器、１１、１１ａ〜１１ｅ…膨張弁、１２…逆止弁、１３ａ〜１３ｆ…開閉弁、１４…高圧ガス管、１５…低圧ガス管、１６…液管、１７…レシーバ、１８…アキュームレータ、１９、１９ａ、１９ｂ…静止型水分吸着材、２２ａ、２２ｂ、２２ｃ…空気流路切り替えダンパ、２３…冷却側送風機、２４…顕熱交換器、２５…温水熱交換器、２６…加湿冷却器、２７…室内熱交換器。
【図１】
2005195285.tif 000004
【図２】
2005195285.tif 000005
【図３】
2005195285.tif 000006
【図４】
2005195285.tif 000007
【図５】
2005195285.tif 000008
【図６】
2005195285.tif 000009
【図７】
2005195285.tif 000010
【図８】
2005195285.tif 000011